(57)【要約】【課題】１つの表示ＬＥＤからなる受信応答手段により運転状態を容易に視認できる扇風機を提供することを目的とする。【解決手段】ファンモータ（図示せず）を支持する支柱２および基台３からなる本体４と、本体４に設けた受信部５および１つの表示ＬＥＤ６からなる受信応答手段７と、受信部５に発信するワイヤレスリモコン８とを備え、ワイヤレスリモコン８に操作手段９および表示手段１０を設けたことにより、１つの表示ＬＥＤ６からなる受信応答手段７により運転状態を容易に視認できる扇風機を得られる。【選択図】図１
2007138789.tif 000002
【特許請求の範囲】
【請求項１】
ファンモータを支持する支柱および基台からなる本体と、この本体に設けた受信部および１つの表示ＬＥＤからなる受信応答手段と、前記受信部に発信するワイヤレスリモコンとを備え、前記ワイヤレスリモコンに操作手段および表示手段を設けた扇風機。
【請求項２】
受信応答手段の表示ＬＥＤを、少なくとも３色以上の点灯表示ができる構成とした請求項１記載の扇風機。
【請求項３】
受信応答手段は、運転状態報知手段を兼用するように構成した請求項１または２記載の扇風機。
【請求項４】
本体に、１つの臨時スイッチを設け、臨時操作部を構成した請求項１記載の扇風機。
【請求項５】
１つの臨時スイッチの操作と１つの表示ＬＥＤの表示を組み合わせて、少なくとも風量およびタイマーの運転操作を可能とした請求項４記載の扇風機。
【請求項６】
本体の略垂直面にワイヤレスリモコンを着脱可能に設け、前記本体に取り付けた状態で前記ワイヤレスリモコンの操作手段を使用可能とするとともに、表示手段の表示を視認可能に設けた請求項１記載の扇風機。
【請求項７】
本体にワイヤレスリモコンを固定する固定手段を設け、前記本体の所定位置に前記ワイヤレスリモコンを着脱可能に設けた請求項６記載の扇風機。
【請求項８】
固定手段に、ワイヤレスリモコンへの電源供給手段を設けた請求項７記載の扇風機。
【請求項９】
ワイヤレスリモコンの表示手段に、タイマー時間表示部を設け、タイマーの残存時間を表示可能とした請求項１または６記載の扇風機。
【請求項１０】
ワイヤレスリモコンに表示スイッチを設け、前記表示スイッチの操作で表示手段を所定時間だけ表示する構成とした請求項１または９記載の扇風機。
【発明の詳細な説明】
【技術分野】
【０００１】
本発明は、１つの表示ＬＥＤからなる受信応答手段を設けた扇風機に関する。
【背景技術】
【０００２】
従来、この種の扇風機の一例としてリモコンを収納する収納部を支柱部に設けた扇風機が知られている（例えば、特許文献１参照）。
【０００３】
以下、その扇風機について図１２および図１３を参照しながら説明する。
【０００４】
図に示すように、扇風機本体１０１の各部を遠隔操作するリモコン１０２を収納可能な凹状のリモコン収納部１０３が、基台部１０４と略一体の収納ケース１０５の前方に位置して形成され、リモコン１０２を着脱可能に設けている。
【０００５】
また、リモコン１０２がない場合には、リモコン収納部１０３の操作部１０６を用いて、本体１０１の各部を操作するようにしている。
【特許文献１】特開２００５−２４８７３５号公報（［００１３］、図１、図３）
【発明の開示】
【発明が解決しようとする課題】
【０００６】
このような従来の扇風機では、リモコンまたはリモコン収納部の操作部を操作した場合は本体に設けた多数の表示ＬＥＤで表示するため、多数の小さなＬＥＤ表示では運転状態の視認性がよくないという課題があり、運転状態が容易に視認できる受信応答手段を設けることが要求されている。
【０００７】
また、リモコン収納部の操作部では風量の切換えはできるが、タイマー運転の切換えはできないという課題があり、タイマー運転の切換えもできることが要求されている。
【０００８】
本発明は、このような従来の課題を解決するものであり、１つの表示ＬＥＤからなる受信応答手段により運転状態を容易に視認できるとともに、リモコンがない場合でも、１つの操作部でタイマー運転の切り換えができる扇風機を提供することを目的としている。
【課題を解決するための手段】
【０００９】
本発明の扇風機は上記目的を達成するために、ファンモータを支持する支柱および基台からなる本体と、この本体に設けた受信部および１つの表示ＬＥＤからなる受信応答手段と、前記受信部に発信するワイヤレスリモコンとを備え、前記ワイヤレスリモコンに操作手段および表示手段を設けたものである。
【００１０】
この手段により、ワイヤレスリモコンで運転操作と操作内容を確認できるとともに、表示ＬＥＤの部品点数を削減しコストダウンを図ることのできる扇風機が得られる。
【００１１】
また、他の手段は、受信応答手段の表示ＬＥＤを、少なくとも３色以上の点灯表示をできる構成としたものである。
【００１２】
この手段により、ワイヤレスリモコンで操作した内容を、本体に設けた１つの表示ＬＥＤで確認できる扇風機が得られる。
【００１３】
また、他の手段は、受信応答手段を、運転状態報知手段を兼用するように構成したものである。
【００１４】
この手段により、より複雑な表示が省スペースで行なうことのできる扇風機が得られる。
【００１５】
また、他の手段は、本体に１つの臨時スイッチを設け、臨時操作部を構成したものである。
【００１６】
この手段により、省スペース、かつ安価に製造できる扇風機が得られる。
【００１７】
また、他の手段は、１つの臨時スイッチの操作と、１つの表示ＬＥＤの表示を組み合わせて少なくとも風量およびタイマーの運転操作を可能としたものである。
【００１８】
この手段により、１つの表示ＬＥＤの変化で、全ての運転操作の確認が可能となる扇風機が得られる。
【００１９】
また、他の手段は、本体の略垂直面にワイヤレスリモコンを着脱可能に設け、前記本体に取り付けた状態で前記ワイヤレスリモコンの操作手段を使用可能とするとともに表示手段の表示を視認可能に設けたものである。
【００２０】
この手段により、ワイヤレスリモコンを見やすい位置に設置することができる扇風機が得られる。
【００２１】
また、他の手段は、本体にワイヤレスリモコンを固定する固定手段を設け、前記本体の所定位置に前記ワイヤレスリモコンを着脱可能に設けたものである。
【００２２】
この手段により、ワイヤレスリモコンの操作がしやすく、表示部が見えやすい位置に固定できる扇風機が得られる。
【００２３】
また、他の手段は、固定手段に、ワイヤレスリモコンへの電源供給手段を設けたものである。
【００２４】
この手段により、電源を供給して表示部を継続して表示することができ、またワイヤレスリモコンの電池に自動的に充電できる扇風機が得られる。
【００２５】
また、他の手段は、ワイヤレスリモコンの表示手段に、タイマー時間表示部を設け、タイマーの残存時間を表示可能としたものである。
【００２６】
この手段により、タイマー運転中の残存時間をいつでも確認できる扇風機が得られる。
【００２７】
また、他の手段は、ワイヤレスリモコンに表示スイッチを設け、前記表示スイッチの操作で表示手段を所定時間だけ表示する構成としたものである。
【００２８】
この手段により、必要なときに運転状態を容易に確認できる扇風機が得られる。
【発明の効果】
【００２９】
本発明によれば、ワイヤレスリモコンで運転操作と、操作内容を確認できるとともに、表示ＬＥＤの部品点数を削減しコストダウンを図ることのできるという効果のある扇風機を提供できる。
【００３０】
また、ワイヤレスリモコンで操作した内容を、本体に設けた１つの表示ＬＥＤで確認できるという効果のある扇風機を提供できる。
【００３１】
また、複雑な表示が省スペースで行なうことのできるという効果のある扇風機を提供できる。
【００３２】
また、省スペースかつ安価に製造できるという効果のある扇風機を提供できる。
【００３３】
また、１つの表示ＬＥＤの変化で全ての運転操作の確認が可能となるという効果のある扇風機を提供できる。
【００３４】
また、ワイヤレスリモコンを見やすい位置に設置できるという効果のある扇風機を提供できる。
【００３５】
また、ワイヤレスリモコンの操作がしやすく、表示部が見えやすい位置に固定できるという効果のある扇風機が提供できる。
【００３６】
また、電源を供給して表示部を継続して表示することができ、また、ワイヤレスリモコンの電池に自動的に充電できるという効果のある扇風機を提供できる。
【００３７】
またタイマー運転中の残存時間をいつでも確認できるという効果のある扇風機を提供できる。
【００３８】
また、必要なときに運転状態を容易に確認できるという効果のある扇風機を提供できる。
【発明を実施するための最良の形態】
【００３９】
本発明の請求項１に記載の発明は、ファンモータを支持する支柱および基台からなる本体と、この本体に設けた受信部および１つの表示ＬＥＤからなる受信応答手段と、前記受信部に発信するワイヤレスリモコンとを備え、前記ワイヤレスリモコンに操作手段および表示手段を設けたものであり、ワイヤレスリモコンに操作手段および表示手段が設けられていることにより、ワイヤレスリモコンで運転操作と操作内容の確認ができ、また、本体側に設けた１つの表示ＬＥＤで運転状態が確認できるとともに、表示ＬＥＤの部品点数を削減しコストダウンを図ることができるという作用を有する。
【００４０】
また、請求項２記載の発明は、受信応答手段の表示ＬＥＤを、少なくとも３色以上の点灯表示をできる構成としたものであり、ワイヤレスリモコンで操作した運転状態の内容が、本体に設けた１つの表示ＬＥＤの点滅や輝度を変えることにより容易に確認できるという作用を有する。
【００４１】
また、請求項３記載の発明は、受信応答手段が運転状態報知手段を兼用するように構成したものであり、表示ＬＥＤを点滅、輝度、発光色を変えることにより、１つの表示ＬＥＤの色彩変化などによって、１つの表示ＬＥＤでも視認性が良く、より複雑な表示を省スペースで行なうことができるという作用を有する。
【００４２】
また、請求項４記載の発明は、本体には１つの操作ボタンのみを設けることにより、省スペースで、かつ安価に製造でき、また、停止直前の運転状態を本体の制御部に記憶させておけば、ワイヤレスリモコンがない場合に、停止直前の運転操作を１つの操作ボタンを押すことで再開できるという作用を有する。
【００４３】
また、請求項５記載の発明は、１つの臨時スイッチの操作と１つの表示ＬＥＤの表示を組み合わせて少なくとも風量およびタイマーの運転操作を可能としたものであり、操作ボタンの短押し、長押しと表示ＬＥＤの点滅、輝度、発光色の組み合わせにより、１つの操作ボタンの操作と、１つの表示ＬＥＤの変化で、全ての運転操作が可能となり、ワイヤレスリモコンが無いときでも不便なく使用することができるという作用を有する。
【００４４】
また、請求項６記載の発明は、本体の略垂直面にワイヤレスリモコンを着脱可能に設け、前記本体に取り付けた状態で前記ワイヤレスリモコンの操作手段を使用可能とするとともに、表示手段の表示を視認可能に設けたものであり、ワイヤレスリモコンを本体の略垂直面の見やすい位置に設置でき、設置したまま運転操作を行なうことができ、使用勝手が良くなるという作用を有する。
【００４５】
また、請求項７記載の発明は、本体にワイヤレスリモコンを固定する固定手段を設け、前記本体の所定位置に前記ワイヤレスリモコンを着脱可能に設けたものであり、本体の所定位置に固定手段を介してワイヤレスリモコンが着脱可能に設けられることにより、ワイヤレスリモコンの操作部の操作がしやすくなるとともに、表示部分を見やすい位置に確実に固定することができるという作用を有する。
【００４６】
また、請求項８記載の発明は、固定手段に、ワイヤレスリモコンへの電源供給手段を設けたものであり、ワイヤレスリモコンを本体に固定したときは、電源を供給して表示部分を継続して表示することができ、また、ワイヤレスリモコンの電池に自動的に充電して電池切れを防ぎ便利に使用できるという作用を有する。
【００４７】
また、請求項９記載の発明は、ワイヤレスリモコンの表示手段に、タイマー時間表示部を設け、タイマーの残存時間を表示可能としたものであり、手元にあるワイヤレスリモコンでタイマー運転中の残存時間をいつでも確認できるという作用を有する。
【００４８】
また、請求項１０記載の発明は、ワイヤレスリモコンに表示スイッチを設け、前記表示スイッチの操作で表示手段を所定時間だけ表示する構成としたものであり、表示ボタンを押すことで現在の運転状態を一定時間のみ表示して消費電力を削減することができるとともに、必要なときに運転状態を簡単に確認できるという作用を有する。
【００４９】
以下、本発明の実施の形態について図面を参照しながら説明する。
【００５０】
（実施の形態１）
図１および図２に示すように、ファンモータ１を支持する支柱２および基台３からなる本体４と、本体４に設けた受信部５および１つの表示ＬＥＤ６からなる受信応答手段７と、受信部５に発信するワイヤレスリモコン８とを備え、ワイヤレスリモコン８に操作手段９および表示手段１０を設け、操作手段９として、運転スイッチ１１と、ファンモータ１の風量を弱、中、強と調整する風量調整スイッチ１２と、１時間、２時間、４時間等のタイマスイッチ１３を設け、受信応答手段７の表示ＬＥＤ６を、３色以上の点灯表示ができるように表示ＬＥＤ６を変化させる。この変化の状態を（表１）に示す。
【００５１】
【表１】
2007138789.tif 000003
【００５２】
（表１）に示すように、風量が弱のときは青色に点灯し、風量が中のときは橙色に点灯し、風量が強のときは赤色に点灯するように設け、連続運転時には各色で点灯を続け、タイマー運転時において、１時間のタイマー運転が行なわれているときには、各風量に応じる各色において、表示ＬＥＤ６の輝度を大きくして点滅し、２時間タイマー運転時には各風量に応じる各色において、表示ＬＥＤ６の輝度を中状態として点滅を行ない、４時間タイマー運転時には、各風量に応じる各色において表示ＬＥＤ６の輝度を小の状態として点滅を行なうように構成する。
【００５３】
上記構成において、ワイヤレスリモコン８に設けた操作手段９を操作することにより、ワイヤレスリモコン８からの信号が受信部５に送られて扇風機が運転される。このとき、操作手段９の風量調整スイッチ１２における弱ノッチが操作されているときには（表１）
に示すように、受信応答手段７の表示ＬＥＤ６は青色に点灯し、扇風機が弱運転されていることを視認できる。
【００５４】
また、操作手段９の中ノッチが操作されているときには、表示ＬＥＤ６は橙色に点灯し、また、操作手段９の強ノッチが操作されているときには、表示ＬＥＤ６は赤色に点灯することとなり、扇風機の運転状態が受信応答手段７の表示ＬＥＤ６の色により確認することができる。
【００５５】
また、タイマー運転時には表示ＬＥＤ６の各色の輝度が（表１）に示すようにタイマー時間が長くなるに伴ない大から小となることにより輝度によりタイマー時間が確認される。
【００５６】
また、他の例として、表示ＬＥＤ６の他の点灯表示状態を（表２）に示す。
【００５７】
【表２】
2007138789.tif 000004
【００５８】
（表２）に示すように、タイマーによる１時間運転時の風量が弱のときには、表示ＬＥＤ６を青色に点滅して輝度を小とし、タイマーによる２時間運転時には表示ＬＥＤ６を青色に点滅し、輝度を小から大または、大から小に点滅し、タイマーによる４時間運転時には表示ＬＥＤ６を青色に点滅し、輝度は大の状態とする。また、風量が中のときには、表示ＬＥＤ６を橙色に点灯し、風量が大のときには表示ＬＥＤ６を赤色に点灯し、風量が弱のときと同様に、タイマー運転時には輝度を可変して表示ＬＥＤ６を点滅して表示する。
【００５９】
このように実施の形態１によれば、ファンモータ１を支持する支柱２および基台３からなる本体４と、本体４に設けた受信部５および、１つの表示ＬＥＤ６からなる受信応答手段７と、受信部５に発信するワイヤレスリモコン８とを備え、ワイヤレスリモコン８に操作手段９および表示手段１０を設けたので、ワイヤレスリモコン８で運転操作と操作内容の確認ができ、また、本体４側に設けた１つの表示ＬＥＤ６で運転状態が確認できるとともに、表示ＬＥＤ６の部品点数を削減してコストダウンを図ることができることとなる。
【００６０】
また、受信応答手段７の表示ＬＥＤ６を少なくとも３色以上に点灯表示をできる構成としたので、ワイヤレスリモコン８で操作した運転状態の内容が本体４に設けた１つの表示ＬＥＤ６の色および点滅や輝度を変えることにより容易に運転状態が確認できることとなる。
【００６１】
（実施の形態２）
図３に示すように、受信応答手段７Ａを運転状態報知手段を兼用するように形成し、受信応答手段７Ａの表示ＬＥＤ６Ａを、３色以上の点灯表示ができる運転状態報知手段を形成する。この表示状態を（表３）に示す。
【００６２】
【表３】
2007138789.tif 000005
【００６３】
（表３）に示すように、風量が弱のときは表示ＬＥＤ６Ａは、青色に点灯し、風量が中のときは橙色に点灯し、風量が強のときは赤色に点灯するように設けて、連続運転には各色で点灯を続け、タイマー運転が行なわれているときには、各風量に応じる各色において、表示ＬＥＤ６Ａの輝度を大から小または、小から大に可変するように点滅するとともに、弱運転時において１時間のタイマー運転が行なわれるときには、風量が弱、中、強に関係なく表示ＬＥＤ６Ａは青色になったり元の色になったり交互に点滅表示して発光色が可変され、２時間のタイマー運転が行なわれているときには、風量が弱、中、強に関係なく表示ＬＥＤ６Ａは橙色になったり、元の色になったり交互に点滅表示して発光色が可変され、４時間のタイマー運転が行なわれているときには、風量が弱、中、強に関係なく表示ＬＥＤ６Ａは赤色となったり、元の色になったり交互に点滅表示して発光色が可変されるように構成する。
【００６４】
上記構成においては、受信応答手段７Ａを運転状態報知手段を兼用するように構成されているので、表示ＬＥＤ６Ａを点滅したり、輝度および発光色を変えることにより、１つの表示ＬＥＤ６Ａの色彩変化によって、１つの表示ＬＥＤ６Ａでも視認性が良く、より複雑な表示を省スペースで行なうことができることとなる。
【００６５】
（実施の形態３）
図４に示すように、本体４Ａに１つの操作ボタン１４よりなる臨時スイッチ１５を設け、臨時操作部を構成する。
【００６６】
上記構成においては、本体４Ａに１つの操作ボタン１４よりなる臨時スイッチを設けることにより、省スペースで、かつ安価に臨時スイッチ１５を製造でき、また、停止直前の運転状態を、本体４Ａの制御部（図示せず）に記憶させておけばワイヤレスリモコン８Ａがない状態でも、操作ボタン１４をワンタッチするだけで停止直前で設定された運転を再開できることとなる。
【００６７】
（実施の形態４）
図５に示すように、１つの臨時スイッチ１５Ａの操作と、１つの表示ＬＥＤ６Ｂを組み合わせて少なくとも風量およびタイマーによる運転操作を可能にするように設け、本体４Ａには表示ＬＥＤ６Ｂを設け、臨時スイッチ１５Ａの操作ボタン１４Ａを短押し、または長押しすることにより、風量およびタイマー時間の可変を可能にするように設ける。この運転状態と操作内容の関係について（表４）に示す。
【００６８】
【表４】
2007138789.tif 000006
【００６９】
（表４）に示すように、臨時スイッチ１５Ａの操作ボタン１４Ａを短押しすることにより、風量が弱の連続運転が行なわれ、更に操作ボタン１４Ａを短押しすることにより、風量が中の連続運転を行ない、更に操作ボタン１４Ａを短押しすることにより風量が強で連続運転が行なわれる。
【００７０】
そして、タイマー運転を行なうときには、風量が弱、中、強の各運転状態において、臨時スイッチ１５Ａの操作ボタン１４Ａを長押しすることにより、タイマー時間が１時間、２時間、４時間と可変され、更に操作ボタン１４Ａを長押しすることにより、風量が弱、中、強のタイマー運転状態から風量が弱、中、強の各々の連続運転状態に可変されるように構成する。
【００７１】
上記構成においては、臨時スイッチ１５Ａの１つの操作ボタン１４Ａの短押し、長押しおよび、実施の形態１〜実施の形態３に示す表示ＬＥＤの動作により、表示ＬＥＤ６Ｂを点滅したり、輝度および発光色を可変する組み合わせによって、臨時スイッチ１５Ａに設けた操作ボタン１４Ａの操作と１つの表示ＬＥＤ６Ｂの変化で、全ての運転操作の表示が可能となり、ワイヤレスリモコン８Ｂがないときでも不便なく使用することができることとなる。
【００７２】
なお、ゆらぎ運転がある場合は、例えば、超長押し操作のような新たな操作方法と、点滅間隔の変更などの新たな表示方法を組み合わせて実現することができる。
【００７３】
（実施の形態５）
図６および図７に示すように、本体４Ｃの略垂直面にワイヤレスリモコン８Ｃの収納部１６を設け、ワイヤレスリモコン８Ｃの背面に磁石１７を設け、収納部１６側に磁石１７と吸着する鉄板１８を設け、ワイヤレスリモコン８Ｃを着脱自在に保持する保持手段１９を設け、ワイヤレスリモコン８Ｃを本体４Ｃに取り付けた状態でワイヤレスリモコン８Ｃの操作手段９Ａを使用可能とするとともに、表示手段１０Ａの表示を視認可能に設け構成する。
【００７４】
上記構成においては、ワイヤレスリモコン８Ｃを本体４Ｃの略垂直面の見やすい位置に保持手段１９を介して設置することができ、ワイヤレスリモコン８Ｃを設置したまま運転操作を行なうことができ、使用勝手が良くなるとともに、ワイヤレスリモコン８Ｃが不用意に脱落することもなくなることとなる。
【００７５】
（実施の形態６）
図８〜図１０に示すように、本体４Ｄにワイヤレスリモコン８Ｄを受けて固定する形状の固定手段２０を設け、本体４Ｄの所定位置にワイヤレスリモコン８Ｄを着脱可能に設け、固定手段２０にワイヤレスリモコン８Ｄへの電源供給手段２１を設け構成する。
【００７６】
上記構成においては、本体４Ｄの所定位置に固定手段２０を介しワイヤレスリモコン８Ｄが着脱可能に設けられることにより、ワイヤレスリモコン８Ｄの操作部の操作がし易くなるとともに、表示部分が見やすい位置に確実に固定することができることとなる。
【００７７】
また、固定手段２０にワイヤレスリモコン８Ｄへの電源供給手段２１を設けたので、ワイヤレスリモコン８Ｄを本体４Ｄに固定手段２０を介して固定したときには、電源がワイヤレスリモコン８Ｄ側に接続され、電源が供給されて表示部分を継続して表示することができ、また、ワイヤレスリモコン８Ｄの電池に自動的に充電して電池切れを防ぎ便利に使用できることとなる。
【００７８】
（実施の形態７）
図１１に示すように、ワイヤレスリモコン８Ｅの表示手段１０Ｂにタイマー時間表示部２２を設け、タイマーの残存時間を表示可能に設け、ワイヤレスリモコン８Ｅに表示スイッチ２３を設け、表示スイッチ２３の操作で表示手段１０Ｂを所定時間だけ表示する構成とする。
【００７９】
上記構成においては、ワイヤレスリモコン８Ｅの表示手段１０Ｂに、タイマー時間表示部２２を設け、タイマーの残存時間を表示可能としていることにより、タイマーの設定時間を４時間に設定した場合に、カウントダウンされて残り時間が２時間になったときには４時間の表示から２時間の表示に切り替わるので、手元にあるワイヤレスリモコン８Ｅでタイマー運転中の残存時間がいつでも確認できることとなる。
【００８０】
また、ワイヤレスリモコン８Ｅに表示スイッチ２３を設け、表示スイッチ２３の操作で表示手段１０Ｂを所定時間だけ表示することにより、表示スイッチ２３を操作することで現在の運転状態を一定時間のみ表示して確認できるので、消費電力を削減することができるとともに、必要なときに運転状態を容易に確認できることとなる。
【産業上の利用可能性】
【００８１】
１つの表示ＬＥＤで複数の運転状況を報知できる技術を用いて容易に運転状況が確認できることにより、空調機器、加湿機、空気清浄機の用途にも適用できる。
【図面の簡単な説明】
【００８２】
【図１】本発明の実施の形態１の扇風機の要部正面図
【図２】同扇風機の斜視図
【図３】本発明の実施の形態２の扇風機の要部正面図
【図４】本発明の実施の形態３の扇風機の要部正面図
【図５】本発明の実施の形態４の扇風機の要部正面図
【図６】本発明の実施の形態５の扇風機のワイヤレスリモコンの保持状態を示す断面図
【図７】同扇風機の要部正面図
【図８】本発明の実施の形態６の扇風機の要部斜視図
【図９】同扇風機の要部断面図
【図１０】同扇風機のワイヤレスリモコンの要部斜視図
【図１１】本発明の実施の形態７の扇風機の要部正面図
【図１２】従来の扇風機の外観斜視図
【図１３】同リモコン離脱時の基台周辺の斜視図
【符号の説明】
【００８３】
２      支柱
３      基台
４      本体
４Ｃ    本体
４Ｄ    本体
５      受信部
６      表示ＬＥＤ
６Ａ    表示ＬＥＤ
６Ｂ    表示ＬＥＤ
７      受信応答手段
７Ａ    受信応答手段
８      ワイヤレスリモコン
８Ｃ    ワイヤレスリモコン
８Ｄ    ワイヤレスリモコン
８Ｅ    ワイヤレスリモコン
９      操作手段
９Ａ    操作手段
１０    表示手段
１０Ａ  表示手段
１０Ｂ  表示手段
１５    臨時スイッチ
１５Ａ  臨時スイッチ
２０    固定手段
２１    電源供給手段
２２    タイマー時間表示部
２３    表示スイッチ
【図１】
2007138789.tif 000007
【図２】
2007138789.tif 000008
【図３】
2007138789.tif 000009
【図４】
2007138789.tif 000010
【図５】
2007138789.tif 000011
【図６】
2007138789.tif 000012
【図７】
2007138789.tif 000013
【図８】
2007138789.tif 000014
【図９】
2007138789.tif 000015
【図１０】
2007138789.tif 000016
【図１１】
2007138789.tif 000017
【図１２】
2007138789.tif 000018
【図１３】
2007138789.tif 000019